(57)【要約】      （修正有）【課題】膨大な特許情報などの情報が集められたデータベースから必要な情報を効率的に入手できるようにする。【解決手段】データベース１からコンピュータ２により任意条件で検索された情報を、複合記録媒体３の可逆性可視情報記録媒体４に書込装置５で記録させると共に、複合記録媒体３の非接触ＩＣタグ６から識別符号を読取装置７で読取り、メモリに記憶させ、次いで複合記録媒体３に表示された情報を図外の人が読取って任意判断により複合記録媒体３を取捨選択し、選択された複合記録媒体３の非接触ＩＣタグ６から識別符号を読取装置７に読取らせると共に、選択された情報のデータベースを再構築する。上記一連の検索工程を１回以上経た情報のデータベースを得るか、または印刷された可逆性可視情報記録媒体４を得ることからなる情報検索方法とする。【選択図】図１
2006154957.tif 000002
【特許請求の範囲】
【請求項１】
可視画像を表示および消去可能な可逆性感熱記録層を備えたシート状可視情報記録媒体を設けると共に、このシート状可視情報記録媒体に非接触ＩＣタグを取り付けた複合記録媒体を設け、
(i)データベースからコンピュータにより任意条件で検索された情報のうち少なくとも一部を前記複合記録媒体の可視情報記録媒体に表示させると共に、この複合記録媒体の非接触ＩＣタグの識別情報および前記検索された情報を関連させて前記コンピュータに記憶させ、
(ii)次いで複合記録媒体に表示された情報を人が読取って任意判断により複合記録媒体を取捨選択し、
(iii)選択された複合記録媒体の非接触ＩＣタグの識別情報を読取らせて前記コンピュータに入力し、前記選択された情報のデータベースを再構築する
上記一連の工程(i)、(ii)および(iii)からなる検索を１回以上経て検索された情報を得ることからなる情報検索方法。
【請求項２】
情報が、特許、実用新案、意匠または商標から選ばれる産業財産権に関する情報である請求項１に記載の情報検索方法。
【請求項３】
可視画像を表示および消去可能な可逆性感熱記録層を備えたシート状可視情報記録媒体を設け、このシート状可視情報記録媒体に非接触ＩＣタグを取り付けてなる情報検索用複合記録媒体。
【請求項４】
複合記録媒体が、シート状可視情報記録媒体の縁部に無作為な配置で非接触ＩＣタグを設けたものである請求項３に記載の情報検索用複合記録媒体。
【請求項５】
シート状可視情報記録媒体が、シートの両面から読取り可能な可視情報記録媒体である請求項３または４に記載の情報検索用複合記録媒体。
【発明の詳細な説明】
【技術分野】
【０００１】
この発明は、特許情報などの膨大な情報量を蓄積したデータベースからの情報検索方法およびそれに用いる情報検索用複合記録媒体に関する。
【背景技術】
【０００２】
近年、毎年４０万件以上の特許公開公報が追加される特許情報のデータベースから、所要の技術内容の特許公開公報その他の特許情報を調査する場合に、特許請求の範囲の請求項や本文などをキーワードで検索したり、特許分類で検索することが多くなってきた。
【０００３】
特許情報のような膨大な量の情報を蓄積したデータベースから情報検索を行なう場合には、検索条件によって徐々に絞り込まれて抽出される情報数を少なくすることはできるが、最終的に検索者が内容を確認する必要があり、その際に情報量が多すぎると確認作業が煩雑になる。
【０００４】
また、抽出された膨大な情報を全て紙に印刷すると、この印刷物の殆どは検索工程で一読された後に廃棄されるものであるから、製紙用資源の浪費になると共に、環境への悪影響も懸念される。
【０００５】
情報を何回も書き換えて使用可能な、いわゆるリライタブルな記録材料として、加熱温度を調節することによって可逆的に透明性を変化させるようにしたものがあり、すなわち樹脂母材中に有機低分子化合物を分散させて透明状態と白濁状態を変化させることにより可視画像を形成できる可逆性感熱記録材料が知られている（特許文献１）。
【０００６】
また、ロイコ分子構造内にラクトン環を持ち、電子放出によりラクトン環を開環させて構造変化をもたらし、発色を呈する電子供与性化合物を含有するロイコ染料と呼ばれる可逆性感熱記録材料も知られている（特許文献２、３）。
【０００７】
ところで、ＩＣタグの情報を読取装置に読みとらせてＩＣタグ付きの患者用カルテやグラビア平板の管理のための検索を行なう検索方法が知られている（特許文献４、５）。また、その他にもスキーリフトなどの乗車券やＩＣ内蔵のリライタブルペーパーとして、非接触ＩＣとリライタブル媒体を組み合わせたものが実用化されている。
【０００８】
【特許文献１】特開昭６３−４１１８６号公報
【特許文献２】特開平２−１８８２９３号公報
【特許文献３】特開平５−１２４３６０号公報
【特許文献４】特開２００２−２３０４９７号公報
【特許文献５】特開２００２−２３０４９１号公報
【発明の開示】
【発明が解決しようとする課題】
【０００９】
しかし、上記した従来のＩＣ内蔵のリライタブル媒体は、当初から入力されているＩＣタグの情報を補助的に表示する小さなカード状のリライタブル媒体を備えたものにすぎず、すなわちＩＣタグ付き商品や書類の所在を管理するものであった。
【００１０】
このような目的で設置されるＩＣタグは、商品や書類の所在を管理するためのものとして画面の面積が限定されているので、２以上の情報を比較判断することが容易にできない。また、多量の情報を印刷すると印刷用紙が多量に必要となり、また一読後に不要な印刷物が大量に生じ、分類整理してもデジタル処理できないため、再度人間の入力が必要になってしまう。
【００１１】
そこで、この発明の課題は、上記した問題点を解決して、膨大な特許情報などの情報が集められたデータベースから必要な情報を効率的に入手できるようにし、しかも可視情報によって分類した情報を有効に利用して検索作業に反映できるようにし、また可視情報記録媒体の廃棄物が発生しない情報検索方法およびその方法に用いる記録媒体とすることである。
【課題を解決するための手段】
【００１２】
上記の課題を解決するために、この発明では、可視画像を表示および消去可能な可逆性感熱記録層を備えたシート状可視情報記録媒体を設けると共に、このシート状可視情報記録媒体に非接触ＩＣタグを取り付けた複合記録媒体を設け、
(i)データベースからコンピュータにより任意条件で検索された情報のうち少なくとも一部を前記複合記録媒体の可視情報記録媒体に表示させると共に、この複合記録媒体の非接触ＩＣタグの識別情報および前記検索された情報を関連させて前記コンピュータに記憶させ、
(ii)次いで複合記録媒体に表示された情報を人が読取って任意判断により複合記録媒体を取捨選択し、
(iii)選択された複合記録媒体の非接触ＩＣタグの識別情報を読取らせて前記コンピュータに入力し、前記選択された情報のデータベースを再構築する
上記一連の工程(i)、(ii)および(iii)からなる検索を１回以上経て検索された情報を得ることからなる情報検索方法としたのである。
【００１３】
上記した工程からなるこの発明の情報検索方法では、感熱記録層を備えたシート状可視情報記録媒体に対して、データベースからコンピュータにより任意条件で検索された特許情報などの情報を可視情報として記録（印刷）し、同時に非接触ＩＣタグの識別符号をコンピュータで読取り、これを検索された情報と関連付けてコンピュータに記憶させておく。
【００１４】
次に、複合記録媒体に表示された情報を人が読取って価値判断すると共に、複合記録媒体を取捨選択することにより、機械的な検索手段に加えて人の主体的な任意判断を加味して複雑な価値判断を行なうことができるようになり、その結果として人の経験に基づいた信頼性の高い情報を取捨選択して集めることができる。
【００１５】
集められた情報は、複合記録媒体の非接触ＩＣタグからその識別符号を読取装置で読取らせてコンピュータに入力すると、前記選択した特許情報のみが選択的に集められた２次的データベースが再構築され、この２次データベースは当初のデータベースよりも人の経験的価値判断で選択された付加価値の高い情報になる。
【００１６】
このようにして一連の検索工程を１回以上経た情報を再構築されたデータベースから入手することにより、検索者にとっては、より利用価値の高い情報を効率よく確実に入手でき、しかも可視情報記録媒体は、可視画像を表示および消去可能であり、すなわち必要がない情報はいつでも消去し、必要な情報のみを表示させてこれを何度でも使用することができるので、印刷紙の廃棄物が発生せず、資源や環境への影響が小さく、また低コストの検索ができるようになる。
【００１７】
また、以上のような情報検索方法は、ＣＤやウェブ上のホストコンピュータなどに膨大な情報が蓄積されている特許情報を検索する場合にも適当な検索方法であるといえる。
【００１８】
前記の課題を解決する情報検索方法に使用する情報検索用複合記録媒体として、可視画像を表示および消去可能な感熱記録層を備えたシート状可視情報記録媒体を設け、このシート状可視情報記録媒体に非接触ＩＣタグを取り付けてなる情報検索用複合記録媒体を採用することができる。
【００１９】
このものは熱処理の温度条件により感熱記録層の透明状態と白濁状態または発色状態と消色状態を任意に生じさせることができるので、可視情報の書き換えと消去が可能であり、感熱記録層としては、いわゆるリライト層として周知の可逆性感熱記録材料からなるものを採用でき、例えば透明白濁タイプのものやロイコ系色素を含有するものである。
【００２０】
そして複合記録媒体は、シート状可視情報記録媒体の縁部に無作為な配置で非接触ＩＣタグを設けたものを採用することが好ましい。非接触ＩＣタグは、重ねて配置されていると、誤動作や読出しが確実にできない場合があるからである。
【００２１】
また、シート状可視情報記録媒体は、シートの両面から読取り可能な可視情報記録媒体を採用すると、可視情報がシートの両面から多く得られることになって好ましい。
【発明の効果】
【００２２】
この発明は、情報を可視情報記録媒体に記録させると共に表示された情報を人が読み取って任意判断により非接触ＩＣタグ付きの複合記録媒体を取捨選択し、選択された複合記録媒体の非接触ＩＣタグをコンピュータに識別記憶させて、再構築されたデータベースから情報を得るようにしたので、膨大な特許情報などの情報が集められたデータベースから必要な情報を効率的に入手できるようになり、しかも可視情報によって分類した情報を有効に利用して検索作業に反映できるようになり、また可視情報記録媒体の廃棄物が発生しない情報検索方法およびその方法に用いる記録媒体となる利点がある。
【発明を実施するための最良の形態】
【００２３】
この発明における情報検索方法およびその方法に用いる複合記録媒体の実施形態を以下に添付図面に基づいて説明する。
【００２４】
図１に示すように、情報検索方法の実施形態は、(i)データベース１からコンピュータ２により任意条件で検索された情報を複合記録媒体３の可視情報記録媒体４に付設の書込装置５で記録させると共に、その非接触ＩＣタグ６をコンピュータに付設の読取装置７で識別記憶させ、
(ii)次いで複合記録媒体３に表示された情報を図外の人が読取って任意判断により複合記録媒体を取捨選択し、
(iii)選択された複合記録媒体３の非接触ＩＣタグ６から識別符号を読取装置７に読取らせると共に、前記コンピュータ２に入力し、選択された情報のデータベースを再構築する、という工程(i)、(ii)および(iii)からなる一連の検索工程を１回以上経た情報のデータベースを得るか、または印刷された可視情報記録媒体４を得ることからなる情報検索方法である。
【００２５】
図２に示すように前記複合記録媒体３は、可視画像を表示および消去可能な可逆性感熱記録層８をシート状の基材９と一体に積層したシート状可視情報記録媒体と、アンテナ６ａとＩＣチップ６ｂを備えた非接触ＩＣタグ６を一体化したものである。
【００２６】
情報検索方法に使用されるシステムの構成をさらに詳細に説明すると、例えば産業財産権に関する外部のデータベース１から情報の読取りを行うコンピュータ２内には、プログラムとして設置されるデータベース制御部１０、検索情報の修正や再構築を行なう検索作業制御部１１、これらを統合して制御する中央制御部１２があり、インターフェースとして外部表示部１３、キーボードなどの入力装置１４、ＩＣタグの読取装置（タグリーダ）７、記録媒体への書込装置（ＩＣタグライター）５が組み合わせて設置され、これらは中央制御部１２のプログラム（ＯＳ）で各機能が連携されている。
【００２７】
データベース１は、ハードディスクやＤＶＤ−ＲＯＭなどに収納されたデータである場合やサーバーを用いて外部のデータベースから読取りする場合もあるが、これには公開番号や特許、実用新案登録、意匠、商標の出願または登録された内容などの産業財産権に関する情報が納められている。
【００２８】
データベース１から情報の読取りを行うデータベース制御部１０は、データベースから必要な情報を読取るプログラムである。検索結果から必要とされる特許情報としては、例えば、公開番号、出願番号、出願日などであり、検索作業制御部１１に送る。
【００２９】
検索情報の修正や再構築を行なう検索作業制御部１１は、非接触ＩＣタグ（以下、このものをより広い意味でRadio Frequency Identification：ＲＦＩＤ記録媒体と称する場合がある。）６の情報を読取った際に得られた情報に基づき、関連するデータベース制御部１０での特許情報の並び替えや選択を行なう部分である。有益な情報が得られた非接触ＩＣタグ（ＲＦＩＤ記録媒体）６のみを選択することで、データベース１から有益な情報をふるい分けることができ、次の情報検索へと進むことができる。
【００３０】
外部表示部１３には、ＣＲＴディスプレイやＬＣＤ（液晶ディスプレイ）などが用いられ、進行状況や検索条件、検索結果などを表示することができる。もちろん、印刷される特許情報も画面に表示することができる。
【００３１】
入力装置１４は、検索条件や運転方法、特許情報の指定など、検索に必要な情報を手入力する装置である。これらは、キーボードでもいいし、タッチパネル状になっていても良い。
【００３２】
ＩＣタグの読取装置７は、ＲＦＩＤを読取るために必要なリーダーを備えていて、このものは通信距離や読取り精度などを考えて選択される。読取装置７は、自動紙送り装置が付いており高速でＲＦＩＤを読取ることも可能である。通信に用いる周波数やアンテナ出力によって読取り可能な条件を設定し、読み取れる最大枚数で運営できる。
【００３３】
可視情報記録媒体４へ記録する装置は、可逆性感熱記録層８に直接的または間接的に熱を与えて画像を表示または消去するものであり、直接に熱で書き換えする場合に、サーマルヘッド、熱スタンプ、ヒーターバーなどの加熱手段が用いられる。また、光で書き換えする場合には、ＣＯ2レーザーや半導体レーザーなどが用いられる。
【００３４】
中央制御部１２等の制御部にはＣＰＵやＲＡＭ、ＲＯＭ、ハードディスクなどがあり、プログラムを実行することで読取装置７や書込装置５の制御、入力装置１４による情報の整理、情報の再構築を行なうことができる。
【００３５】
複合記録媒体３は、シート状の可視情報記録媒体４に非接触ＩＣタグ６を取り付けており、すなわち可視情報部分とＲＦＩＤ部分を備えている。
【００３６】
非接触ＩＣタグ（ＲＦＩＤ記録媒体）６は、ＩＣチップ６ｂと通信で使用されるアンテナ６ａを有するものであり、周知の製品が使用できる。具体的には、フィリップス社製のＭｉｆａｒｅ、Ｉ−ｃｏｄｅ、または日立製作所製ミューチップが挙げられる。
【００３７】
非接触ＩＣタグ（ＲＦＩＤ記録媒体）６にはＩＤ番号のみが書き込まれていればよく、ＣＰＵは必ずしも必要としない。サイズも特に限定されないが、できるだけ小さい方が取り扱い性に優れるのは勿論である。
【００３８】
アンテナ６ａは、アルミニウム、銅などの金属エッチングによるパターンを形成したり、導電性インクを使用して、シルクスクリーンなどの印刷によりアンテナパターンを形成したり、銅線をコイル状にしてアンテナとするなどの方法で作成される。
【００３９】
また、ＲＦＩＤを複合記録媒体に付設する場合、可視表示記録部分と重ならないようにするため、シート状の可視情報記録媒体４の縁部に設けることが好ましい。また、非接触ＩＣタグ（ＲＦＩＤ記録媒体）６が複数重なると読取りの誤作動の原因となるので、縁部に設ける場合も無作為（ランダム）に配置することが、複合記録媒体３を揃えて重ねた場合に非接触ＩＣタグ（ＲＦＩＤ記録媒体）６をできるだけ重ねないようにするために好ましい。
【００４０】
可視情報記録媒体４の可視画像を表示および消去可能な可逆性感熱記録層８は、周知の可逆性感熱記録材料で形成される。
【００４１】
具体的には、加熱温度を調整することによって、透明と白濁の状態変化を生じて可視状態になるもの（以下、「透明白濁タイプ」という）、または加熱温度や加熱後の冷却速度を調整することによって、発色して可視状態になるもの（以下、「色調変化タイプ」という）等を使用することができる。
【００４２】
可逆性感熱記録材料は、透明性または発色性を温度によって可逆的に変化させることにより可視画像を表示および消去可能な材料からなり、この材料は、樹脂母材と記録材料とからなる。
【００４３】
記録層に用いる樹脂母材の種類としては、透明で製膜性の良い合成樹脂が好ましく、例えばポリ塩化ビニル、塩化ビニル−酢酸ビニル共重合体、塩化ビニル−酢酸ビニル−マレイン酸共重合体、塩化ビニル−酢酸ビニル−アクリル酸共重合体、塩化ビニル−酢酸ビニル−ビニルアルコール共重合体、その他の酢酸ビニル化合物、塩化ビニル系共重合体、ポリ塩化ビニリデン、塩化ビニリデン共重合体、ポリエステル樹脂、ポリウレタン樹脂、アクリル樹脂、ポリスチレン樹脂、ＡＢＳ樹脂、ＡＳ樹脂などの透明なアモルファス樹脂などが挙げられ、これらは単独で用いてもよく、または２種以上を混合して用いてもよい。さらに架橋性樹脂を用いることもできる。
【００４４】
透明性が変化するタイプの記録材料としては、有機低分子化合物を高分子樹脂母材内に０．１〜２．０μｍ程度の直径の集合体となって分散させたものが好ましく用いることができる。このタイプの記録層では、高分子樹脂母材中に分散した有機低分子化合物が、結晶化と溶融の間で体積変化を起こし、それに伴って高分子樹脂母材との間でボイドが生成され、これにより光散乱が生じるという作用を利用している。
【００４５】
有機低分子化合物の具体例としては、炭素数１２以上の高級脂肪酸、高級脂肪酸エステルなど周知の有機低分子化合物の他、カルボン酸、ジカルボン酸、ケトン、エーテル、アルコール、エステル、スルフィド、脂肪酸アミド、脂肪族二塩基酸、脂肪族二塩基酸エステルおよびその誘導体などからなる結晶性低分子化合物でもよく、これらは単独で使用してもよく、２種以上を混合して用いることもできる。
【００４６】
また、炭素数１２以上の脂肪酸アルキルエステルの例としては、ステアリン酸メチル、ステアリン酸エチル、ステアリン酸ブチル、ステアリン酸オクチル、ステアリン酸ステアリル、ステアリン酸ベヘニル、ベヘン酸メチル、ベヘン酸エチル、ベヘン酸ブチル、ベヘン酸オクチル、ベヘン酸ステアリル、ベヘン酸ベヘニル、リグノセリン酸メチル、リグノセリン酸エチルなどが挙げられる。
【００４７】
炭素数１０以上の脂肪族二塩基酸としては、例えばセバシン酸、ドデカン２酸、テトラデカン２酸、エイコサン２酸等が挙げられる。炭素数１２以上の脂肪酸アルキルエステルおよび炭素数１０以上の脂肪族二塩基酸は、単独で用いても良く、２種以上を混合して用いても良い。
【００４８】
発色性、すなわち色調が変化するタイプの記録材料の例としては、電子供与性呈色化合物及び電子受容性化合物を高分子樹脂母材に溶解もしくは分散させたものが挙げられる。熱の作用によって酸の性質を示したり、塩基の性質を示す電子受容性化合物が、可逆的構造を有する電子供与性呈色化合物に対して、顕色剤となったり、減色剤となったりすることを利用したものである。
【００４９】
例えば、電子供与性呈色化合物と電子受容性化合物の溶融温度以上の温度まで加熱した後、急冷すると発色し、溶融温度以下の温度で加熱した後、徐々に冷却すると消色する。また、顕色剤として長鎖アルキル基を持つ電子受容性化合物を用いた場合は、長鎖アルキル基構造のため顕色剤自体が凝集力を持つ。このため、加熱条件や加熱後の冷却速度により、ロイコ染料に接触したり分離したりすることができ、顕色剤とロイコ染料が接触することで発色し、分離することで消色するのである。
このような色調が変化するタイプの記録材料を用いる場合にも、高分子樹脂母材として、透明白濁タイプの記録材料に使用した高分子樹脂母材と同様のものを使用することができる。
【００５０】
分子構造内にラクトン環を持ち、電子放出によるラクトン環の開環という構造変化により発色性を示す電子供与性呈色性化合物（いわゆるロイコ染料）の具体例としては、クリスタルバイオレットラクトン、３−（４−ジエチルアミノ−２−エトキシフェニル）−３−（１−エチル２−メチルインドール−３−イル）−４−アザフタリド、３，３−ビス（１−エチル２−メチルインドール−３−イル）フタリド等のフタリド化合物、３−ジエチルアミノ−６−メチル−７−アニリノフルオラン、２−（２−クロロアニリノ）−６−ジエチルアミノフルオラン、２−（２−クロロアニリノ）−６−ジブチルアミノフルオラン、２−アニリノ−３−メチル−６（Ｎ−エチルイソペンチルアミノ）フルオラン、３−シクロヘキシルメチルアミノ−６−メチル−７−アニリノフルオラン、３−ベンジルエチルアミノ−６−メチル−７−アニリノフルオラン、３−ジエチルアミノ−６−クロロ−７−アニリノフルオラン、３−メチルプロピルアミノ−６−メチル−７−アニリノフルオラン、３−ジエチルアミノ−６−メチル−７−キシリジノフルオランなどのフルオラン化合物等が挙げられる。
【００５１】
電子受容性化合物としては、例えば炭素数６以上の脂肪族基を有する有機リン酸化合物、脂肪族カルボン酸化合物またはフェノール性化合物（炭素数１２以上の脂肪族基を有するフェノール性化合物が好ましい。）が挙げられる。
【００５２】
電子受容性化合物の具体例としては、例えばドデシルホスホン酸、テトラデシルホスホン酸、ヘキサデシルホスホン酸、オクタデシルホスホン酸、エイコシルホスホン酸、α−ヒドロキシデカン酸、α−ヒドロキシテトラデカン酸、α−ヒドロキシヘキサデカン酸、α−ヒドロキシペンタデカン酸、α−ヒドロキシエイコサン酸、α−ヒドロキシドコサン酸、α−ヒドロキシテトラコサン酸、α−ヒドロキシヘキサコサン酸、α−ヒドロキシオクタコサン酸などが挙げられる。
【００５３】
また、フェノール性化合物としては、例えば４´−ヒドロキシ−４−オクタデシルベンズアニリド、Ｎ−オクタデシル−４−ヒドロキシベンズアミド、Ｎ−（４−ヒドロキシフェニル）−Ｎ´−オクタデシル尿素、４−ヒドロキシフェニルプロピオノ−ベヘニルヒドラジドなどが挙げられる。
【００５４】
電子供与性呈色化合物、電子受容性化合物および高分子樹脂母材の配合割合は、例えばロイコ染料１０質量部に対し、電子受容性化合物を好ましくは１０〜１００質量部、さらに好ましくは２０〜５０質量部であり、ロイコ染料１０質量部に対し、高分子樹脂母材は、好ましくは１０〜２００質量部、さらに好ましくは２０〜１００質量部である。
【００５５】
可逆性感熱記録層は、高分子樹脂母材中に有機低分子化合物を分散させたのち、支持体などの上に塗布することにより、または高分子樹脂母材中に電子供与性呈色化合物と電子受容性化合物を溶解または分散させた後、支持体などの上に塗布することにより形成される。
【００５６】
可逆性感熱記録層の厚さは、３μｍ〜３０μｍであることが好ましいが、特にこの範囲に限定されるものではない。また、可逆性感熱記録層は、シート状可視情報記録媒体に２層以上設けると、シートの両面から読取り可能な可視情報記録媒体を形成できる。すなわち、複合記録媒体の両面から可視情報を読取るようにすることもできる。
【００５７】
透明白濁タイプの場合には、可視画像のコントラストを高くして鮮明さを向上させるために、光反射層をさらに設けることが好ましい。
【００５８】
この発明に用いる複合記録媒体の基材に用いるシートの材質は、特許情報を読むときの取り扱い性や繰り返し使用されたときの耐久性において適当な強度がある材料が好ましい。たとえば、ケント紙、コート紙などの紙類、合成紙、ポリエチレンテレフタレート、ポリエチレン、ポリプロピレン、ＰＥＴＧ、ポリカーボネート、ポリブチレンテレフタレート、ポリ乳酸、ポリ塩化ビニルなどが挙げられる。
【００５９】
このようなシート状可視情報記録媒体の基材にＲＦＩＤを固定するためには、周辺部にシール状にしたＲＦＩＤを粘着剤で貼りつけても良いし、基材でＲＦＩＤ部分を挟み込むように固定してもよい。
【実施例１】
【００６０】
［シート状可視情報記録媒体の作製］
下記に示す配合組成の可逆性感熱記録層用分散液を、ペイントシェーカーを用いて２時間、分散させた。その後、硬化剤としてイソシアネート化合物（日本ポリウレタン工業株式会社製、商品名：コロネートＬ、固形分７５質量％）５質量部を添加して、十分に攪拌し、可逆性感熱記録層用塗布液を調整した。
【００６１】
この塗布液を、厚み１００μｍの白色ＰＥＴ（三菱化学ポリエステル製  ダイアホイルＷ４００）上に塗布し、１００℃で５分間乾燥させて、乾燥後の厚みが７μｍである可逆性感熱記録層を作成した。
【００６２】
（可逆性感熱記録層用分散液）
色素前駆体（３−ジエチルアミノ−６−メチル−７−アニリノフルオラン）１０質量部
電子受容性化合物（ヒドロキシフェニルプロピオノ−ベヘニルヒドラジド）２０質量部
高分子樹脂母材（三菱レイヨン株式会社製、商品名：ＬＲ−１５０３）    ５０質量部
溶剤（トルエン）                                                  １５０質量部
【００６３】
形成した可逆性感熱記録層の上に、紫外線硬化性樹脂を乾燥後の厚みが２μｍとなるように塗布した後、紫外線を１２０Ｗ／ｃｍ×１０ｍ／分の条件で照射して硬化させ、保護層を形成した。
【００６４】
支持体として、３８μmのＰＥＴ（ダイアホイル、三菱化学ポリエステルフィルム社製）上に、細い銅線をループ状に巻いて接着剤で固定してアンテナコイルとした。アンテナ部上にＩＣチップ（Ｉ−ＣＯＤＥ  ＳＬＩ、フィリップス社製）を導電性接着剤で固定してこの発明のＲＦＩＤ部とし、このＲＦＩＤ部を粘着シールを用いて記録媒体の外周部に貼り合わせた。
この工程でＲＦＩＤ部を設置する場所を随時変えて、複合記録媒体を１０００枚作製した。なお、当該複合記録媒体は、ＩＣチップ内の固有のＩＤ番号を一つずつ持つものである。
【００６５】
次に、特許情報データベースとして、特許公報の請求項、本文、図などが納められており、キーワードにより検索できる特許庁発行のＣＤ−ＲＯＭのデータを基にしてデータベースを作製した。
【００６６】
キーワードおよび検索の条件式は、「インターネット」and「検索」and「画面」とし、請求項をテキスト検索することにより調査したところ、約７００件の特許公報が選択され、これをデータベース１とした。
【００６７】
前記作製した複合記録媒体を記録装置にセットし、公開番号、出願人、要約、請求項などのデータベース１の特許情報を、一枚ずつIDを読取りながら特許公報内容を抄録で印刷していった。印字された記録は黒文字ではっきりとした記録であり、読取られたＩＤ番号が各々のデータベース１の情報と関連づけられた。
【００６８】
印字された可視情報をみながら、目的とする特許公報を人が手作業で検索した。ここでは、研究開発技術的類似性の観点から類似性の高いものを（A）とし、類似点のないものは（B）として区分けした。
【００６９】
そして、技術的類似性の高い特許情報（A）のみを読取り装置にかけ、そのＩＤ番号を読取り、中央制御部にて演算処理を行なった。その結果、技術的類似性の高い特許情報(Ａ)のみからなるデータベース２が作成され、約２００件程度に絞ることができた。
【００７０】
次に、より詳細に特許内容を確認するために、上記の区分けに用いた特許情報(Ａ)および（Ｂ）の抄録が印刷されている複合記録媒体を使用して、新たにＩＤ番号を読取らせながら書き込み装置にて特許情報（Ａ）のみの特許全文をオーバーライトで印刷した。すなわち、もとの特許情報（Ａ）および（Ｂ）の抄録の印刷を消去すると共に、新たに特許情報（Ａ）の特許全文を印刷した。その際、特許全文を複数頁に亙って印刷したので、ここでは複数のＩＤ番号を一つの特許情報に割り当てた。
【００７１】
また、印刷枚数が多くて一度には印刷できなかった特許については、公報を読みながら、必要な分をＲＦＩＤ読取り装置に読み込ませる作業を繰り返した。
【００７２】
このようにすると、一度使用した記録媒体も再度IDを読取り、可視記録情報も書き換えることができるため、再利用ができた。
最終的には目的とする特許を約３０件に絞り込むことができ、これをデータベース３とした。これらは二次検索を経て得られた技術的類似性の高いものであり、研究開発の見直しに有用な情報としてまとめることができた。また、上記したように印刷物を廃棄する必要はなく、短時間で特許検索を行うことが可能となった。
【００７３】
［比較例］
実施例の検索作業を通常の紙を用いて印刷を行った。ＲＤＩＦがついていないので、仕分けしたものは手入力でデータ入力しデータベースを作成することになったため、非常に多くの時間がかかり、膨大な量の紙が廃棄物となった。
【図面の簡単な説明】
【００７４】
【図１】実施形態の情報検索方法に用いるシステムの説明図
【図２】実施形態の複合記録媒体の断面図
【符号の説明】
【００７５】
１  データベース
２  コンピュータ
３  複合記録媒体
４  可視情報記録媒体
５  書込装置
６  非接触ＩＣタグ
６ａ  アンテナ
６ｂ  ＩＣチップ
７  読取装置
８  可逆性感熱記録層
９  基材
１０  データベース制御部
１１  検索作業制御部
１２  中央制御部
１３  外部表示部
１４  入力装置
【図１】
2006154957.tif 000003
【図２】
2006154957.tif 000004